(57)【要約】【課題】  美容器具において限定された部分のみを振動させることができる美容器具を提供することを目的とする。【解決手段】  この美容器具は、支持部材１０と、支持部材１０に配設される第１パッド２０と、第１パッド２０の内側に配設される振動部材としてのバイブレーションモータ４０と、支持部材１０に配設される第２パッド６０と、第２パッド６０の内側に配設される超音波振動子７０とを備える。第１パッド２０は、支持部材１０に支持される外周部２３と、その略中央部に位置し、外周部２３が支持部材１０に支持されたときに、支持部材１０の表面から突出するように形成される凸部２１と、外周部２３と凸部２１との間を連結し、凸部２１と略同心の環状に形成される谷部と山部とにより構成される２重の襞部２２と、バイブレーションモータ４０を支持するための支持部２４をさらに有する。【選択図】        図２
2005328900.tif 000002
【特許請求の範囲】
【請求項１】
支持部材と、
前記支持部材に支持される外周部と、その略中央部に位置し、前記支持部材の表面から突出する凸部と、前記外周部と前記凸部との間を連結する前記凸部と略同心の環状の襞部とを有するパッドと、
前記パッドにおける凸部の内側に配設され、振動を発生する振動部材と、
を備えたことを特徴とする美容器具。
【請求項２】
請求項１に記載の美容器具において、
前記パッドは、複数の襞部を有する美容器具。
【請求項３】
請求項１または請求項２に記載の美容器具において、
前記振動部材は、バイブレーションモータからなる美容器具。
【請求項４】
支持部材と、
前記支持部材に支持される外周部と、その略中央部に位置し、前記支持部材の表面から突出する凸部と、前記外周部と前記凸部との間を連結する前記凸部と略同心の環状の襞部とを有する第１パッドと、
前記第１パッドにおける凸部の内側に配設され、振動を発生する振動部材と、
前記支持部材に配設され、前記支持部材の表面から突出する凸部を有する第２パッドと、
前記第２パッドの内側に配設される超音波振動子と、
を備えたことを特徴とする美容器具。
【請求項５】
請求項４に記載の美容器具において、
前記第１パッドは、複数の襞部を有する美容器具。
【請求項６】
請求項４または請求項５に記載の美容器具において、
前記振動部材は、バイブレーションモータからなる美容器具。
【請求項７】
請求項１乃至請求項６のいずれかに記載の美容器具において、
前記第１パッドの外側表面には、多孔質部材が配設される美容器具。
【請求項８】
請求項７に記載の美容器具において、
前記多孔質部材における前記第１パッドのコーナー部に対応する領域は曲線状の形状を有する美容器具。
【発明の詳細な説明】
【技術分野】
【０００１】
この発明は、皮膚に対して振動を付与することにより美容効果を奏せしめる美容器具に関する。
【背景技術】
【０００２】
このような美容器具として、特許文献１に記載されるような器具が知られている。特許文献１に記載の器具は、被施術者の肌に当接可能なプローブと、プローブを振動させる振動発生手段とを備えるものである。この器具は、さらに、プローブに近接配置されるペルチェ素子を備える。このため、この特許文献１に記載の器具によれば、被施術者の肌を交互に加熱および冷却するとともに被施術者の肌に対して振動を付与することを可能としている。
【特許文献１】特開２００１−１９０５８６号公報
【発明の開示】
【発明が解決しようとする課題】
【０００３】
しかしながら、特許文献１に記載の器具では、振動発生手段による振動がプローブに伝達されるとともに、プローブを支持する本体にも伝達される。このため、本体に配設されるその他の部品や本体を操作する施術者に対して悪影響を及ぼす、という問題が生じる。
【０００４】
この発明は、以上のような課題を解決するためになされたものであり、振動発生手段による振動が本体に伝達されることを防止することができる美容器具を提供することを目的とする。
【課題を解決するための手段】
【０００５】
請求項１に記載の発明は、支持部材と、前記支持部材に支持される外周部と、その略中央部に位置し、前記支持部材の表面から突出する凸部と、前記外周部と前記凸部との間を連結し、前記凸部と略同心の環状の襞部とを有するパッドと、前記パッドにおける凸部の内側に配設され、振動を発生する振動部材とを備えたことを特徴とする。
【０００６】
請求項２に記載の発明は、請求項１に記載の美容器具において、前記パッドは、複数の襞部を有する。
【０００７】
請求項３に記載の発明は、請求項１または請求項２に記載の美容器具において、前記振動部材は、バイブレーションモータからなる。
【０００８】
請求項４に記載の発明は、支持部材と、前記支持部材に支持される外周部と、その略中央部に位置し、前記支持部材の表面から突出する凸部と、前記外周部と前記凸部との間を連結し、前記凸部と略同心の環状の襞部とを有する第１パッドと、前記第１パッドにおける凸部の内側に配設され、振動を発生する振動部材と、前記支持部材に配設され、前記支持部材の表面から突出する凸部を有する第２パッドと、前記第２パッドの内側に配設される超音波振動子とを備えたことを特徴とする。
【０００９】
請求項５に記載の発明は、請求項４に記載の美容器具において、前記第１パッドは、複数の襞部を有する。
【００１０】
請求項６に記載の発明は、請求項４または請求項５に記載の美容器具において、前記振動部材は、バイブレーションモータからなる。
【００１１】
請求項７に記載の発明は、請求項１乃至請求項６のいずれかに記載の美容器具において、前記第１パッドの外側表面には、多孔質部材が配設される。
【００１２】
請求項８に記載の発明は、請求項７に記載の美容器具において、前記多孔質部材における前記第１パッドのコーナー部に対応する領域は曲線状の形状を有する。
【発明の効果】
【００１３】
請求項１に記載の発明によれば、外周部と凸部との間を連結し、凸部と略同心の環状の襞部とを有するパッドを備えることから、美容器具において限定された部分のみを振動させることができ、振動部材による振動が支持部材に伝達されることを防止することが可能となる。
【００１４】
請求項２に記載の発明によれば、パッドが複数の襞部を有することから、美容器具において確実に限定された部分のみを振動させることができ、振動部材による振動が支持部材に伝達されることを防止することが可能となる。
【００１５】
請求項３に記載の発明によれば、パッドの内側に配設される振動部材がバイブレーションモータからなることから、皮膚に対して適切な振動を付与することができ、振動部材による振動が支持部材に伝達されることを防止することが可能となる。
【００１６】
請求項４に記載の発明によれば、外周部と凸部との間を連結し、凸部と略同心の環状の襞部とを有する第１パッドを備えることから、美容器具において限定された部分のみを振動させ、振動部材による振動が支持部材に伝達されることを防止することができ、第１パッドのうち側に配設される振動部材の振動が同一の支持部材に接続される超音波振動子に影響を及ぼすことを防止することが可能となる。
【００１７】
請求項５に記載の発明によれば、第１パッドが複数の襞部を有することから、美容器具において確実に限定された部分のみを振動させることができ、振動部材による振動が支持部材に伝達されることを防止することが可能となる。
【００１８】
請求項６に記載の発明によれば、第１パッドの内側に配設される振動部材がバイブレーションモータからなることから、皮膚に対して適切な振動を付与することができ、振動部材による振動が支持部材に伝達されることを防止することが可能となる。
【００１９】
請求項７に記載の発明によれば、第１パッドの外側表面には、多孔質部材が配設されることから、加工容易かつ低コストでありながら、一旦皮膚へ塗布された美容処理剤の削剥を有効に防止することができ、皮膚に対して振動部材による振動を有効に伝達することが可能となる。
【００２０】
請求項８に記載の発明によれば、多孔質部材における第１パッドのコーナー部に対応する領域は曲線状の形状を有することから、加工容易かつ低コストでありながら、一旦皮膚へ塗布された美容処理剤の削剥をさらに有効に防止することが可能となる。
【発明を実施するための最良の形態】
【００２１】
以下、この発明の実施の形態を図面に基づいて説明する。
【００２２】
図１はこの発明に係る美容器具を示す正面図であり、図２はその断面図である。また、図３はこの発明に係る美容器具を図１における左側から示す側面図であり、図４はその一部を破断して示す平面図である。
【００２３】
この発明に係る美容器具は、皮膚に対して振動を付与することにより美容効果を奏せしめるものである。この美容器具は、支持部材１０と、支持部材１０に配設される第１パッド２０と、第１パッド２０の内側に配設される振動部材としてのバイブレーションモータ４０と、支持部材１０に配設される第２パッド６０と、第２パッド６０の内側に配設される超音波振動子７０とを備える。バイブレーションモータ４０および超音波振動子７０は、配電板８１（図２参照）を介して、支持部材１０の外部に配設される操作部８０（図１参照）と電気的に接続される。
【００２４】
なお、この明細書において、バイブレーションモータとは、偏心ロータを備えることにより振動を引き起こすモータのことである。
【００２５】
図５は、この発明に係る美容器具を構成する第１パッド２０を示す説明図である。また、図６は第１パッド２０の外側表面に装着されるスポンジ部材３０を示す説明図、図７はスポンジ部材３０を第１パッド２０に対して固定するための固定部材５０を示す説明図である。なお、図５（ａ）は第１パッド２０の正面を、図５（ｂ）はその側面を、図５（ｃ）はその側断面を示している。また、図６（ａ）はスポンジ部材３０の正面を、図６（ｂ）はその側断面を示している。さらに、図７（ａ）は固定部材５０の正面を、図７（ｂ）はその側面を、図７（ｃ）はその側断面を示している。
【００２６】
第１パッド２０は、支持部材１０に支持される外周部２３と、その略中央部に位置する凸部２１と、外周部２３と凸部２１との間を連結する２重の襞部２２とを有する。また、凸部２１の内側には、振動部材としてのバイブレーションモータ４０を支持するための支持部２４が形成されている。
【００２７】
第１パッド２０における凸部２１は、外周部２３が支持部材１０に支持されたときに、支持部材１０の表面から突出するように形成される。また、第１パッド２０における襞部２２は、凸部２１と略同心の環状に形成される谷部２２ａと山部２２ｂとにより構成される。
【００２８】
また、第１パッド２０の外周表面には、多孔質部材としてのスポンジ部材３０が装着される。そして、スポンジ部材３０の外側から固定部材５０を挿嵌することにより、第１パッド２０とスポンジ部材３０とが固定される。なお、図６において示すようにように、このスポンジ部材３０のコーナー部は曲線状の形状を有する。このため、この美容器具を皮膚表面上で摺動させたときに、一旦皮膚上に塗布された美容処理剤の美容器具による削剥を有効に防止することができる。さらに、このようなスポンジ部材３０の構成により、この美容器具と皮膚表面との間に生じる摩擦を低減することが可能となる。
【００２９】
図８は、スポンジ部材３０を成形する様子を示す説明図である。
【００３０】
平面状のスポンジ部材３０は、プレス加工機において、スポンジ部材３０の第１パッド２０との接触面を成形する内型９１とスポンジ部材３０の外部表面を成形する外型９２との間に挿入される。そして、内型９１が矢印方向（外型９２方向）へスポンジ部材３０を変形させるために十分な押圧力をもって移動する。これにより、スポンジ部材３０の第１パッド２０との接触面は内型９１と同一形状となり、スポンジ部材３０の外部表面は外型９２と同一形状に変形される。
【００３１】
なお、スポンジ部材３０は、プレス加工したものではなく、柔軟性を有する平面状のものを使用してもよい。この場合には、スポンジ部材３０を、第１パッド２０の凸部２１および襞部２２の外側表面上をその形状に沿って展張する。そして、展張したスポンジ部材３０の外側から、固定部材５０を挿嵌することにより、第１パッド２０とスポンジ部材３０とが固定される。この場合も、スポンジ部材３０のコーナー部は曲線状の形状を有するため、この美容器具を皮膚表面上で摺動させたときに、一旦皮膚上に塗布された美容処理剤の美容器具による削剥を有効に防止することができる。また、この美容器具と皮膚表面との間に生じる摩擦を低減することが可能となる。
【００３２】
図９は、第１パッド２０とバイブレーションモータ４０とを示す説明図である。
【００３３】
バイブレーションモータ４０は、本体４１と、本体４１から突出する回転軸４３と、回転軸５３の中心と異なる位置に重心を有する錘４２とを備える。このバイブレーションモータ４０は、第１パッド２０における凸部２１の内側に配設される支持部２４に支持される。また、バイブレーションモータ４０は、図２において示すように、配電板８１に接続される。そして、バイブレーションモータ４０は、この配電板８１から電気信号を付与されることにより回転する回転軸４３の回転に伴い、錘４２が回転軸４３を中心に回転する。この回転により、バイブレーションモータ４０の重心が移動して、本体４１が振動する。この本体４１の振動が第１パッド２０における支持部２４を介して凸部２１に伝達される。凸部２１に伝達された振動は、襞部２２に吸収される。
【００３４】
これにより、バイブレーションモータ４０による振動は、第１パッド２０における外周部２３に伝達されず、外周部２３を支持する支持部材１０が振動することを防止することが可能となる。すなわち、襞部２２により、凸部２１のみを振動させ、凸部２１の振動が第１パッド２０の他の部分に伝達されることを防止することが可能となる。
【００３５】
なお、この実施形態において使用されるバイブレーションモータ４０は、無負荷時の回転数が８０００ｒｐｍ、適正負荷時の回転数が５７００ｒｐｍのものが使用される。また、このバイブレーションモータ４０の錘４２には、タングステン合金製のものが使用される。
【００３６】
また、第２パッド６０は、支持部材１０に支持されたときに、支持部材１０の表面から突出する凸部を有する。この第２パッド６０は、支持部材１０に対して第１パッド２０と相反する位置に支持される。また、第２パッド６０の内側には、超音波振動子７０（図２参照）が貼着される。この超音波振動子７０は、図２において示すように、配電板８１に接続される。そして、超音波振動子７０は、この配電板８１から電気信号を付与されることにより超音波振動を発生する。
【００３７】
このような美容器具を使用するときには、まず、スポンジ部材３０を皮膚表面に当接させる。この状態で、操作部８０を操作して、バイブレーションモータ４０を作動させる。そして、バイブレーションモータ４０の振動が第１パッド２０における凸部２１およびスポンジ部材３０を介して皮膚に伝達されることにより、皮膚に対して有効なマッサージ効果を発揮することが可能となる。また、この美容器具においては、第２パッド６０を皮膚表面に当接させた状態で、操作部８０を操作して超音波振動子７０を作動させ、この超音波振動子７０による超音波振動を第２パッド６０を介して皮膚に伝達させることも可能である。
【００３８】
なお、先に説明した実施形態においては、第１パッド２０が２重の襞部２２を有しているが、１重の襞部２２としてもよく、また、２以上の多重の襞部２２としてもよい。
【００３９】
また、先に説明した実施形態においては、内側に超音波振動子７０が貼着された第２パッド６０を備えることとしているが、第２パッド６０を省略してもよい。
【００４０】
また、先に説明した実施形態においては、第１パッド２０の外周表面に多孔質部材としてのスポンジ部材３０を備えているが、スポンジ部材３０の代わりに多孔質樹脂、多孔質ゴム、多孔質セラミックス等の柔軟性を有する多孔質部材を備えてもよい。
【００４１】
また、先に説明した実施形態においては、第１パッド２０の内側に配設される振動部材としてバイブレーションモータを使用しているが、その他の振動を発生する部材を使用してもよい。
【００４２】
さらに、先に説明した実施形態においては、単一の第１パッド２０が支持部材１０に支持されているが、複数の第１パッド２０が支持されてもよい。
【図面の簡単な説明】
【００４３】
【図１】この発明に係る美容器具を示す正面図である。
【図２】この発明に係る美容器具を示す断面図である。
【図３】この発明に係る美容器具を図１における左側から示す側面図である。
【図４】この発明に係る美容器具を上面から示す要部断面図である。
【図５】この発明に係る美容器具を構成する第１パッド２０を示す説明図である。
【図６】第１パッド２０の外側表面に装着されるスポンジ部材３０を示す説明図である。
【図７】スポンジ部材３０を第１パッド２０に対して固定するための固定部材５０を示す説明図である。
【図８】スポンジ部材３０を成形する様子を示す説明図である。
【図９】第１パッド２０とバイブレーションモータ４０とを示す説明図である。
【符号の説明】
【００４４】
１０    支持部材
２０    第１パッド
２１    凸部
２２    襞部
２２ａ  谷部
２２ｂ  山部
２３    外周部
２４    支持部
３０    スポンジ部材
４０    バイブレーションモータ
４１    本体
４２    錘
４３    回転軸
５０    固定部材
６０    第２パッド
７０    超音波振動子
８０    操作部
８１    配電板
９１    内型
９２    外型
【図１】
2005328900.tif 000003
【図２】
2005328900.tif 000004
【図３】
2005328900.tif 000005
【図４】
2005328900.tif 000006
【図５】
2005328900.tif 000007
【図６】
2005328900.tif 000008
【図７】
2005328900.tif 000009
【図８】
2005328900.tif 000010
【図９】
2005328900.tif 000011